(57)【要約】【目的】間柱に対する切削加工が不要であって構造強度を十分に確保しながらも窓などの開口部周辺の通気が良好に行われるようにした新規な通気壁構造を提供する。【構成】窓開口部２０のまぐさ２３上に、通気材２４が、まぐさの上面と通気材の前面との間に段差２９が形成されるように取り付けられた通気壁構造である。通気材上に設けられる縦桟２１などの垂直部材の下面と段差との間に通気空間が形成され、上昇空気流ａ１とともに、この通気空間に沿って水平方向に流れる空気流ａ２による通気がなされる。【選択図】    図２
2004211407.tif 000002
【特許請求の範囲】
【請求項１】
まぐさ、胴差、土台などの水平部材上に、通気材が、水平部材上面と通気材前面との間に段差が形成されるように取り付けられ、通気材上に設けられる間柱、縦桟などの垂直部材の下面と前記段差との間に形成される空間が通気空間とされることを特徴とする通気壁構造。
【請求項２】
窓台、軒桁、胴差などの水平部材の下に、通気材が、水平部材下面と通気材前面との間に段差が形成されるように取り付けられ、通気材の下に設けられる間柱、縦桟などの垂直部材の上面と前記段差との間に形成される空間が通気空間とされることを特徴とする通気壁構造。
【請求項３】
垂直部材が取り付けられる通気材の面に切り欠きが形成され、この切り欠きに垂直部材の木口が嵌入固定されることを特徴とする請求項１または２に記載の通気壁構造。
【発明の詳細な説明】
【０００１】
【発明の属する技術分野】
本発明は壁体内の通気構造に関し、特に窓開口部周辺の通気が良好に行われる通気壁構造に関する。
【０００２】
【従来の技術】
下記特許文献１には、上下構造部材に通風口を形成して左右のエアーサイクル空間に連通させるようにして通気性を向上させた「エアーサイクル住宅における窓などの開口部壁構造」が記載されている。
【０００３】
【特許文献１】
特公平２−４０６４２号公報
【０００４】
また、下記特許文献２には、窓枠などの開口部枠とその両側の柱との間に通気用の縦方向の溝を設けた「壁体内通気構造」が記載されている。
【０００５】
【特許文献２】
特開平１１−２６４２０２号公報
【０００６】
【発明が解決しようとする課題】
ところが、これらの従来技術装置では、窓開口部上下の間柱に切削加工を施すことで通気空間を形成しているため、間柱一本一本に切削加工を施さなければならず、その作業に費用と時間を要していた。また、間柱に切削加工を施すことにより構造強度が低下する懸念があった。
【０００７】
【課題を解決するための手段】
上記課題を解決するため、本発明は、間柱に対する切削加工が不要であって構造強度を十分に確保しながらも窓などの開口部周辺の通気が良好に行われるようにした新規な通気壁構造を提供することを目的とする。
【０００８】
この目的を達成するため、請求項１にかかる本発明は、まぐさ、胴差、土台などの水平部材上に、通気材が、水平部材上面と通気材前面との間に段差が形成されるように取り付けられ、通気材上に設けられる間柱、縦桟などの垂直部材の下面と前記段差との間に形成される空間が通気空間とされることを特徴とする通気壁構造である。
【０００９】
請求項２にかかる本発明は、窓台、軒桁、胴差などの水平部材の下に、通気材が、水平部材下面と通気材前面との間に段差が形成されるように取り付けられ、通気材の下に設けられる間柱、縦桟などの垂直部材の上面と前記段差との間に形成される空間が通気空間とされることを特徴とする通気壁構造である。
【００１０】
請求項３は、請求項１または２に記載の通気壁構造において、垂直部材が取り付けられる通気材の面に切り欠きが形成され、この切り欠きに垂直部材の木口が嵌入固定されることを特徴とする。
【００１１】
【発明の実施の形態】
図１は、本発明による通気壁構造を採用した壁体の一例を示すとともにこの壁体における空気の流れ状態を示す正面図であって、基礎１上の土台２と軒桁３との間に通し柱４が立設され、土台２と胴差５との間には一階柱となる管柱６および間柱７が立設され、胴差５と軒桁３との間には二階柱となる管柱８および間柱９が立設されている。一階部分における窓開口部１０は管柱６，６間に形成されており、その上方には胴差５との間に縦桟１１が取り付けられている。二階部分における窓開口部２０は左方の管柱８と右方の間柱９との間に形成されており、その上方には軒桁３との間に縦桟２１が取り付けられ、その下方には胴差５との間に窓台受けとしての縦桟２２が取り付けられている。窓開口部１０，２０の内側にはそれぞれ図示しないサッシが取り付けられる。
【００１２】
一階部分における窓開口部１０の上方にはまぐさ１２が管柱６，６間に取り付けられ、まぐさ１２上には通気材１３が取り付けられている。前述の縦桟１１は通気材１３と胴差５との間に垂設されている。一方、二階部分における窓開口部２０の上方にはまぐさ２３が左方の管柱８と右方の間柱９との間に取り付けられ、まぐさ２３上には通気材２４が取り付けられている。前述の縦桟２１は通気材２４と軒桁３との間に垂設されている。また、窓開口部２０の下方には窓台２５が同様に左方の管柱６と右方の間柱９との間に取り付けられ、窓台２５の下には通気材２６が取り付けられている。前述の窓台受けとしての縦桟２２は通気材２６と胴差５との間に垂設されている。まぐさ２３と窓台２５との間には左右２本のまぐさ受け２７が、左方の管柱８および右方の間柱９との間にそれぞれ間隔をあけた状態で取り付けられている。
【００１３】
なお、通気材１３，２４，２５は、壁体を組み立てる前にあらかじめ後述するような関係でまぐさ１２，２３、窓台２５に固定して一体化したものを用いてもよいし、あるいは、まぐさや窓台を取り付けた後の任意の時点で後述の関係が得られるようにしてまぐさや窓台に取り付けてもよい。いずれの場合も、通気材１３，２４，２５をまぐさ１２，２３、窓台２５に固定する際には、釘やステープルの打ち込み、接着剤、粘着テープなどの常用手段を用いることができる。また、その他の部材同士の連結固定に際しても、釘打ち、ボルト止め、仕口加工による連結等の常用手段を用いることができる。
【００１４】
一階部分において通し柱４、管柱６、間柱７、縦桟１１の間には適宜横桟１４が取り付けられ、同様に、二階部分において通し柱４、管柱８、間柱９、縦桟２１，２２の間には適宜横桟２８が取り付けられている。
【００１５】
この通気壁構造において、通し柱４、管柱６，８、間柱７，９、縦桟１１，２１，２２などが垂直部材であり、土台２、軒桁３、胴差５、まぐさ１２，２３、横桟１４，２８などが水平部材である。
【００１６】
図２は、図１の壁体における窓開口部２０のまぐさ左側上方部分の通気壁構造を示すとともにこの部分の空気の流れ状態を示す斜視図である。前述のように、窓開口部２０の上方においては、まぐさ受け２７上にまぐさ２３が略水平に支持され、まぐさ２３上に通気材２４が取り付けられているが、まぐさ２３の上面と通気材２４の前面との間には段差２９が形成されている（図４を併せて参照のこと）。すなわち、まぐさ２３よりも奥行寸法が短い通気材２４を用い、それらの後面同士が略面一となるようにして配置することによって前方に段差２９を形成している。通気材２４の奥行寸法はまぐさ２３（およびこれと同一の奥行を持つ管柱８その他の部材）の奥行寸法よりも１０〜２０ｍｍ程度小さくすることが好ましい。
【００１７】
通気材２４上には、縦桟２１が、その前面をまぐさ２３の前面と略面一して設けられているので、段差２９と縦桟２１の下面との間に断面コ字状の通気空間ないし通気路が形成される。また、前述のように、管柱８とまぐさ受け２７との間には間隔が設けられ、且つ、この間隔に応じた通気溝３０がまぐさ２３の端部前面側に形成されているので、図１および図２に示すように、管柱８とまぐさ受け２７との間を上昇してきた空気流ａは、通気溝３０を通った後、そのまま管柱８と縦桟２１との間を通って空気流ａ１として上昇するだけでなく、段差２９と縦桟２１の下面との間の断面コ字状の通気路を抜けて空気流ａ２として水平方向（右方）に流動することが可能となるため、良好な通気が確保される。
【００１８】
図３は、窓開口部２０のまぐさ２３左側上方部分の通気壁構造についての変形態様を拡大して示すとともにこの部分の空気の流れ状態を示す斜視図である。この実施形態では、まぐさ受け２７’が管柱８に添着されていてそれらの間に隙間がない状態とされているので、まぐさ２３の端部前面側に通気溝を形成することに代えて、段差２９と略同一高さにおいて管柱８の前面側を横切る通気溝３１を形成している。この実施形態によると、管柱６の左側を上昇してきた空気流ｂが通気溝３１を通って管柱６の右側に入り込み、その後は図２の実施形態の場合と略同様にして、上昇空気流ｂ１、および、段差２９に沿って水平方向（右方）に流動する空気流ｂ２となることができるため、良好な通気が確保される。
【００１９】
図２および図３には、窓開口部２０のまぐさ２３左側上方部分の通気壁構造が示されているが、まぐさ２３の右側上方部分についても同様の通気壁構造を採用することができることは言うまでもない。まぐさ２３の右方の垂直部材は間柱９であるので、まぐさ２３の右側上方部分に同様の通気壁構造を採用する場合、図２および図３における管柱８は間柱９に置き換えられる。
【００２０】
図５には、まぐさ、通気材および縦桟の取付状態についての変形例が示されている。すなわち、図２および図３の実施形態では、まぐさ、通気材および縦桟の取付状態が図４に示すものとされており、縦桟２１の下端木口を通気材２４の上面に突き当てた状態で固定しているが、図５では、通気材２４の上面に形成した切り欠き３４に縦桟２１の下端木口を嵌入固定するようにしたものである。これにより、縦桟２１の取付に際して位置決めが容易に行えるとともに、施工時の位置ずれも防止することができるので、施工の効率化に寄与する。切り欠き３４の深さは通気材２４の厚さ範囲内において任意に決定することができる。
【００２１】
また、同様の通気壁構造が、窓開口部２０の窓台２５の下方部分についても採用されている。すなわち、窓台２５の左側において管柱８とまぐさ受け２７との間、また右側において間柱９とまぐさ受け２７との間にはそれぞれ間隔が設けられており、これら間隔に対応する窓台２５の両端部分には、図２の通気溝３０と同様の機能を果たす通気溝３２，３２が切り欠き形成されている。また、窓台２５の下方には通気材２６が取り付けられるが、通気材２６の奥行寸法は窓台２５よりも１０〜２０ｍｍ程度小さく設定されており、これらが後面を面一にして配置されることにより、窓台２５の下面と通気材２６の前面との間には段差３３が形成される（図６）ため、窓開口部２０の下から上昇してくる空気流ｃを段差３３による通気路により水平方向（左右）に逃がして空気流ｃ１とし、最終的には通気溝３２，３２を抜けて上昇する空気流ｃ２として上方に逃がすので、良好な通気を確保して結露を防止することができる。
【００２２】
同様の通気壁構造が、一階の窓開口部１０の上方部分についても採用されている。すなわち、窓開口部１０の上方には管柱６，６間にまぐさ１２が架設されるとともにその上に通気材１３が設けられているが、まぐさ１２の上面と通気材１３の前面との間には段差１５が形成されている。すなわち、まぐさ１２よりも奥行寸法が１０〜２０ｍｍ程度小さく設定された通気材１３を用い、それらの後面同士が略面一となるようにして配置することによってまぐさ１２の上面と通気材１３の前面との間に段差１５が形成されるため、この段差１５を通気路とする空気流ｄが実現される。
【００２３】
なお、図１の壁体においては、一階の窓開口部１０の左右の管柱６，６の前面に水平方向に通気溝１６，１６が形成されており、窓開口部１０の側方から上方に流れる空気流ｅによる通気を確保している。また、土台２、軒桁３、胴差５、横桟１４，２８の各前面には上下に貫通する通気溝（符号なし）が形成されているため、通し柱４、管柱６，８、間柱７，９間の通気層が分断されず、図１に矢印で示されるように該通気溝を介して空気が上昇することによる通気を可能にしている。
【００２４】
図７は、本発明による通気壁構造を採用した壁体の他例を示すとともにこの壁体における空気の流れ状態を示す正面図であって、基礎４１上の土台４２と胴差４３との間の一階部分の通気壁構造が示されている。土台４２と胴差４３との間には一階柱となる管柱４４および間柱４５が立設されている。一階部分における窓開口部５０は左方の管柱４４と右方の間柱４５との間に形成されており、その上方には胴差４３との間に縦桟４６が取り付けられ、その下方には土台４２との間に窓台受けとしての縦桟４７が取り付けられている。窓開口部５０の内側には図示しないサッシが取り付けられる。
【００２５】
窓開口部５０の上方にはまぐさ５１が左方の管柱４４と右方の間柱４５との間に取り付けられ、まぐさ５１上には通気材５２が取り付けられている。また、窓開口部５０の下方には窓台５３が同様に左方の管柱４４と右方の間柱４５との間に取り付けられ、窓台５３の下には通気材５４が取り付けられている。これらの窓開口部５０の上方および下方における通気壁構造は図１における二階の窓開口部２０の上方および下方における通気壁構造と実質的に同様であり、その作用も実質的に同様であるので説明を割愛する。
【００２６】
図７の壁体では、土台４２の上面側の管柱４４、間柱４５などの構造材としての垂直部材の間にそれぞれ通気材４８が固定されている。通気材４８は土台４２よりも１０〜２０ｍｍ程度小さな奥行寸法を有しており、これを土台４２や管柱４４などと後面を面一にして管柱４４、間柱４５などの間で土台４２の上面に固定することにより、土台４２の上面と通気材４８の前面との間に段差４９が設けられることになる（図８参照）。そして、各通気材４８の幅内において土台４２の前面側を上下に貫通する少なくとも一の通気溝５５が形成され、この通気溝５５によって、土台４２の下方空間と段差４９による通気路とが連通されることになるため、土台４２の下方から通気溝５５を通って上昇した空気を図７に矢印で示すように段差４９に沿って水平方向に逃がし且つその後に上方に逃がすことができ、良好な通気が確保される。
【００２７】
また、胴縁４３の下面の管柱４４、間柱４５などの構造材としての垂直部材の間にそれぞれ通気材５６が固定されている。通気材５６は胴縁４３よりも１０〜２０ｍｍ程度小さな奥行寸法を有しており、これを胴縁４３や管柱４４などと後面を面一にして管柱４４、間柱４５などの間で胴縁４３の下面に固定することにより、胴縁４３の下面と通気材５６の前面との間に段差が設けられることになる。そして、各通気材５６の幅内において胴縁４３の前面側を上下に貫通する少なくとも一の通気溝５７が形成され、この通気溝５７によって、段差による通気路と胴縁４３の上方空間とが連通されることになるため、胴縁４３の下方から上昇した空気を図７に矢印で示すように段差に沿って水平方向に逃がし且つその後は通気溝５７から上方に逃がすことができ、良好な通気が確保される。
【００２８】
なお、通し柱（図７には図示せず）や管柱４４などの構造材である垂直部材の上下には通気材４８，５６を配置しない。言い換えれば、通気材４８，５６は、間柱４５、縦桟４６、窓台受け４７といった構造材としての機能を持たない垂直部材の上端および／または下端が突き当てられるようにして配置される。これによって構造強度の低下を防止している。
【００２９】
以上に本発明の実施形態について添付図面に基づいて詳述したが、本発明はこれらの実施形態に限定されるものではなく、特許請求の範囲に記載された範囲内において種々の変形態様を取り得ることは言うまでもない。
【００３０】
【発明の効果】
以上に説明したように、本発明によれば、まぐさ、胴差、土台、軒桁などの水平部材の上部および／または下部に、通気材を、水平部材の上面／下面と通気材前面との間に段差が形成されるように取り付けた壁構造であるため、この段差による空間を通気空間として利用することができ、通気性能の向上を図ることができる。
【００３１】
通気材が水平部材の上部および／または下部に配置されることから、垂直方向の荷重を通気材と水平部材の両方で受けることとなり、垂直方向荷重に対する耐力性能が向上し、壁構造強度が向上する。
【００３２】
間柱に切り欠きなどの加工を施すことなしに通気空間を形成することができるので、加工に伴う費用や時間が節減される。
【図面の簡単な説明】
【図１】本発明による通気壁構造を採用した壁体の一例を示すとともにこの壁体における空気の流れ状態を示す正面図である。
【図２】図１の壁体における窓開口部のまぐさ左側上方部分の通気壁構造を拡大して示すとともにこの部分の空気の流れ状態を示す斜視図である。
【図３】窓開口部のまぐさ左側上方部分の通気壁構造についての変形態様を示すとともにこの部分の空気の流れ状態を示す斜視図である。
【図４】図２および図３の実施形態におけるまぐさ、通気材および縦桟の取付状態を拡大して示す斜視図である。
【図５】図４の変形態様としてのまぐさ、通気材および縦桟の取付状態を示す斜視図である。
【図６】図１の壁体における窓開口部の窓台下方部分の通気壁構造を拡大して示す斜視図である。
【図７】本発明による通気壁構造を採用した壁体の他例を示すとともにこの壁体における空気の流れ状態を示す正面図である。
【図８】図７の壁体における土台上部分の通気壁構造を拡大して示す斜視図である。
【符号の説明】
１  基礎
２  土台
３  軒桁
４  通し柱
５  胴差
６，８  管柱
７，９  間柱
１０，２０  窓開口部
２１  縦桟
２２  窓台受け
２３  まぐさ
２４  通気材
２５  窓台
２６  通気材
２７  まぐさ受け
２８  横桟
２９  段差
３０  通気溝
【図１】
2004211407.tif 000003
【図２】
2004211407.tif 000004
【図３】
2004211407.tif 000005
【図４】
2004211407.tif 000006
【図５】
2004211407.tif 000007
【図６】
2004211407.tif 000008
【図７】
2004211407.tif 000009
【図８】
2004211407.tif 000010